(57)【要約】【課題】既存の赤外線通信自体の機能を拡張することなく、操作対象装置の周辺に存在する遠隔操作装置を認識する方法及びシステムを提供する。【解決手段】操作信号を赤外線通信リンクを介して送信する遠隔操作装置と、操作信号を赤外線通信リンクを介して受信し且つその内容に応じて動作する操作対象装置とを有する。遠隔操作装置毎に、装置識別子及び／又はユーザ識別子を有する。また、遠隔操作装置及び操作対象装置は、近距離無線リンクの通信機能を有する。遠隔操作装置が、近距離無線リンクを介して操作対象装置へ、識別子を送信する。そして、遠隔対象装置は、自らの周辺範囲に、識別子に対応する遠隔操作装置が存在することを認識する。近距離無線リンクは、Bluetooth又は無線ＬＡＮである。また、操作対象装置は例えばテレビ装置であり、遠隔操作装置は例えば携帯電話機である。【選択図】図２
2011061669.tif 000002
【特許請求の範囲】
【請求項１】
操作信号を第１の無線リンクを介して送信する遠隔操作装置と、前記操作信号を第１の無線リンクを介して受信し且つその内容に応じて動作する操作対象装置とを有するシステムについて、操作対象装置の周辺に存在する遠隔操作装置を認識する方法であって、
前記遠隔操作装置毎に、装置識別子及び／又はユーザ識別子を有し、
前記遠隔操作装置及び前記操作対象装置は、第２の無線リンクの通信機能を有し、
前記遠隔操作装置が、第２の無線リンクを介して前記操作対象装置へ、前記識別子を送信する第１のステップと、
前記遠隔対象装置は、自らの周辺範囲に、前記識別子に対応する前記遠隔操作装置が存在することを認識する第２のステップと
を有することを特徴とする方法。
【請求項２】
第１の無線リンクは、指向性のある赤外線通信リンクであり、
第２の無線リンクは、指向性のない近距離無線リンクである
ことを特徴とする請求項１に記載の方法。
【請求項３】
前記近距離無線リンクは、Bluetoothであり、
第１のステップについて、前記遠隔操作装置が、前記操作対象装置との間で、呼び出し(Page)シーケンスを定期的に実行することによって、当該識別子を前記操作対象装置へ送信することを特徴とする請求項２に記載の方法。
【請求項４】
前記近距離無線リンクは、無線ＬＡＮ(Local Area Network)であり、
第１のステップについて、前記遠隔操作装置が、前記操作対象装置へ、前記識別子を定期的に送信することを特徴とする請求項２に記載の方法。
【請求項５】
前記操作対象装置は、テレビ装置であり、
前記遠隔操作装置は、携帯電話機であり、当該携帯電話機に搭載された赤外線発光部及び近距離無線通信部を用いる
ことを特徴とする請求項１から４のいずれか１項に記載の方法。
【請求項６】
操作対象装置の周辺に存在する遠隔操作装置を認識するシステムにおいて、
前記遠隔操作装置は、
第１の無線リンクを確立する第１の無線通信手段と、
第２の無線リンクを確立する第２の無線通信手段と、
操作信号を、第１の無線通信手段を介して前記操作対象装置へ送信する操作信号送信手段と、
装置識別子及び／又はユーザ識別子を記憶する識別子記憶手段と、
前記識別子を、第２の無線通信手段を介して前記操作対象装置へ送信する識別子送信手段と
を有し、
前記操作対象装置は、
第１の無線リンクを確立する第１の無線通信手段と、
第２の無線リンクを確立する第２の無線通信手段と、
前記遠隔操作装置から、前記操作信号を、第１の無線通信手段を介して受信する操作信号受信手段と、
前記操作信号の内容に応じて動作する制御手段と、
前記遠隔操作装置から第２の無線通信手段を介して、前記識別子を受信する識別子受信手段と、
自らの周辺範囲に、前記識別子に対応する前記遠隔操作装置が存在することを認識する周辺ユーザ認識手段と
を有することを特徴とするシステム。
【請求項７】
第１の無線通信手段は、指向性のある赤外線通信手段であり、
第２の無線通信手段は、指向性のない近距離無線通信手段である
ことを特徴とする請求項６に記載のシステム。
【請求項８】
前記近距離無線リンクは、Bluetoothであり、
前記遠隔操作装置の識別子送信手段は、呼び出し(Page)シーケンスを定期的に実行することによって、当該識別子を前記操作対象装置へ送信する
ことを特徴とする請求項７に記載のシステム。
【請求項９】
前記近距離無線リンクは、無線ＬＡＮであり、
前記遠隔操作装置の識別子送信手段は、前記操作対象装置へ、前記識別子を定期的に送信する
ことを特徴とする請求項７に記載のシステム。
【請求項１０】
前記操作対象装置は、テレビ装置であり、
前記遠隔操作装置は、携帯電話機であり、
前記携帯電話機に搭載された赤外線発光部及び近距離無線通信部を用いる
ことを特徴とする請求項６から９のいずれか１項に記載のシステム。
【発明の詳細な説明】
【技術分野】
【０００１】
本発明は、遠隔操作装置から送信される操作信号によって、操作対象装置を操作する技術に関する。例えば、遠隔操作装置としてのリモコン(remote controller)装置から、操作対象装置となる電化機器を操作する技術に関する。
【背景技術】
【０００２】
リモコン装置は、ＡＶ(Audio Visual)機器（例えばテレビ装置）や電化機器（例えば照明装置）を、離れた位置から操作することができる。リモコン装置は、一般的に無線タイプであって、特に赤外線方式又は電波方式が用いられる（その他、超音波方式や可視光方式もある）。例えば、テレビ装置を操作するリモコン装置は、一般に赤外線方式が用いられる。リモコン装置は赤外線発光部を有し、テレビ装置は赤外線受光部を有する。
【０００３】
赤外線は、約７５０〜１,０００ｎｍの間の波長を有する。自然から放射された赤外線と、リモコン装置から発光された赤外線とを区別するために、リモコン装置は、キャリア周波数で変調した赤外線を送信する。キャリア周波数は、一般に、３８〜４０ｋＨｚ程度である。
【０００４】
図１は、従来技術におけるシステム構成図である。
【０００５】
図１によれば、遠隔操作装置が、赤外線操作信号を送信し、操作対象装置を操作している。遠隔操作装置としてリモコン装置が表され、操作対象装置としてテレビ装置及び照明装置が表されている。リモコン装置Ａ及びリモコン装置Ｂは、テレビ装置Ａを操作可能な位置にある。また、リモコン装置Ｂ及びリモコン装置Ｃは、テレビ装置Ｂ及び照明装置を操作可能な位置にある。
【０００６】
リモコン装置Ａは、テレビ装置Ａへ、例えばチャネル切り替え（又は電源オン／オフ）の赤外線操作信号を送信している。同様に、リモコン装置Ｂも、テレビ装置Ａ及びテレビ装置Ｂへ、赤外線操作信号を送信している。テレビ装置Ａ及びテレビ装置Ｂは、受信された操作信号に応じた動作をする。また、リモコン装置Ｃは、照明装置２へ、例えば明るさの調整（又は電源オン／オフ）の赤外線操作信号を送信する。照明装置２は、受信された操作信号に応じた動作をする。
【０００７】
ここで、操作対象装置２は、リモコン装置１から赤外線操作信号を受信することができるが、その赤外線操作信号を送信したリモコン装置を区別することまではできない。具体的には、テレビ装置Ａは、受信した赤外線操作信号が、リモコン装置Ａ又はリモコン装置Ｂのどちらから送信されたものかを区別できない。
【０００８】
これに対し、リモコン装置が、そのリモコンを操作するユーザの個人情報と、その操作毎に割り当てられた識別番号とを、テレビ装置へ送信する技術がある（例えば特許文献１参照）。テレビ装置は、受信した個人情報及び識別番号と共に、テレビ装置の状態情報をサーバへ送信する。サーバは、受信した個人情報、識別番号及び状態情報を、操作履歴としてデータベースに登録する。これにより、テレビ装置は、サーバのデータベースを用いて、その操作信号を送信したリモコン装置を区別することができる。
【先行技術文献】
【特許文献】
【０００９】
【特許文献１】特開２００５−１５１０９８号公報
【発明の概要】
【発明が解決しようとする課題】
【００１０】
しかしながら、特許文献１に記載された技術によれば、テレビ装置は、操作信号を送信したリモコン装置を区別することができても、その周辺に存在する他のリモコン装置まで認識することはできない。操作履歴は、リモコン装置からテレビ装置への操作信号の送信によってのみ取得されるからである。従って、テレビ装置は、操作信号を送信可能な位置に存在するけれども、操作信号を送信していないリモコン装置を認識することができない。
【００１１】
また、赤外線通信機能を有するリモコン装置は、一般に、３２ビットの赤外線信号を送信する。３２ビットの赤外線信号は、製造元を表す１６ビットのカスタムコードと、操作内容を表す１６ビットのデータコードからなる。ここで、ユーザの個人情報、操作の識別番号及びテレビ装置の状態情報のような情報を、更に赤外線信号に含める場合、リモコン装置及びテレビ装置は、それぞれ独自の赤外線規格を実装する必要がある。従って、赤外線通信による操作履歴の把握には、開発コストの増大及び汎用性の低下という問題が生じる。
【００１２】
そこで、本発明は、既存の赤外線通信自体の機能を拡張することなく、操作対象装置の周辺（操作信号を送信可能な位置）に存在する遠隔操作装置を認識する方法及びシステムを提供することを目的とする。
【課題を解決するための手段】
【００１３】
本発明によれば、操作信号を第１の無線リンクを介して送信する遠隔操作装置と、操作信号を第１の無線リンクを介して受信し且つその内容に応じて動作する操作対象装置とを有するシステムについて、操作対象装置の周辺に存在する遠隔操作装置を認識する方法であって、
遠隔操作装置毎に、装置識別子及び／又はユーザ識別子を有し、
遠隔操作装置及び操作対象装置は、第２の無線リンクの通信機能を有し、
遠隔操作装置が、第２の無線リンクを介して操作対象装置へ、識別子を送信する第１のステップと、
遠隔対象装置は、自らの周辺範囲に、識別子に対応する遠隔操作装置が存在することを認識する第２のステップと
を有することを特徴とする。
【００１４】
本発明の方法における他の実施形態によれば、第１の無線リンクは、指向性のある赤外線通信リンクであり、第２の無線リンクは、指向性のない近距離無線リンクであることも好ましい。
【００１５】
本発明の方法における他の実施形態によれば、近距離無線リンクは、Bluetoothであり、第１のステップについて、遠隔操作装置が、操作対象装置との間で、呼び出し(Page)シーケンスを定期的に実行することによって、当該識別子を操作対象装置へ送信することも好ましい。
【００１６】
本発明の方法における他の実施形態によれば、近距離無線リンクは、無線ＬＡＮ(Local Area Network)であり、第１のステップについて、遠隔操作装置が、操作対象装置へ、識別子を定期的に送信することも好ましい。
【００１７】
本発明の方法における他の実施形態によれば、操作対象装置は、テレビ装置であり、遠隔操作装置は、携帯電話機であり、当該携帯電話機に搭載された赤外線発光部及び近距離無線通信部を用いることも好ましい。
【００１８】
本発明によれば、操作対象装置の周辺に存在する遠隔操作装置を認識するシステムにおいて、
遠隔操作装置は、
第１の無線リンクを確立する第１の無線通信手段と、
第２の無線リンクを確立する第２の無線通信手段と、
操作信号を、第１の無線通信手段を介して操作対象装置へ送信する操作信号送信手段と、
装置識別子及び／又はユーザ識別子を記憶する識別子記憶手段と、
識別子を、第２の無線通信手段を介して操作対象装置へ送信する識別子送信手段と
を有し、
操作対象装置は、
第１の無線リンクを確立する第１の無線通信手段と、
第２の無線リンクを確立する第２の無線通信手段と、
遠隔操作装置から、操作信号を、第１の無線通信手段を介して受信する操作信号受信手段と、
操作信号の内容に応じて動作する制御手段と、
遠隔操作装置から第２の無線通信手段を介して、識別子を受信する識別子受信手段と、
自らの周辺範囲に、識別子に対応する遠隔操作装置が存在することを認識する周辺ユーザ認識手段と
を有することを特徴とする。
【００１９】
本発明のシステムにおける他の実施形態によれば、第１の無線通信手段は、指向性のある赤外線通信手段であり、第２の無線通信手段は、指向性のない近距離無線通信手段であることも好ましい。
【００２０】
本発明のシステムにおける他の実施形態によれば、近距離無線リンクは、Bluetoothであり、遠隔操作装置の識別子送信手段は、呼び出し(Page)シーケンスを定期的に実行することによって、当該識別子を操作対象装置へ送信することも好ましい。
【００２１】
本発明のシステムにおける他の実施形態によれば、近距離無線リンクは、無線ＬＡＮであり、遠隔操作装置の識別子送信手段は、操作対象装置へ、識別子を定期的に送信することも好ましい。
【００２２】
本発明のシステムにおける他の実施形態によれば、操作対象装置は、テレビ装置であり、遠隔操作装置は、携帯電話機であり、携帯電話機に搭載された赤外線発光部及び近距離無線通信部を用いることも好ましい。
【発明の効果】
【００２３】
本発明の操作対象装置の周辺に存在する遠隔操作装置を認識する方法及びシステムによれば、既存の赤外線通信自体の機能を拡張することなく、操作信号を送信可能な位置に存在するけれども、操作信号を送信していない遠隔操作装置を認識することができる。
【図面の簡単な説明】
【００２４】
【図１】従来技術におけるシステム構成図である。
【図２】本発明におけるシステム構成図である。
【図３】本発明における機能構成図である。
【図４】遠隔操作装置自らの存在を操作対象装置へ通知するシーケンス図である。
【図５】遠隔操作装置の識別子を操作対象装置へ送信するデータパケットの構成図である。
【発明を実施するための形態】
【００２５】
以下、本発明の実施の形態について、図面を用いて詳細に説明する。
【００２６】
図２は、本発明におけるシステム構成図である。
【００２７】
図２によれば、遠隔操作装置として携帯電話機が表され、操作対象装置としてテレビ装置及び照明装置が表されている。尚、以下では、遠隔操作装置は、代表的な携帯電話機として説明するが、勿論、ＰＤＡ(Personal Digital Assistant)又は携帯端末であってもよい。また、操作対象装置も、テレビ装置及び照明装置以外の、ＡＶ機器や電化機器であってもよい。
【００２８】
図２のシステムによれば、図１と同様に、携帯電話機１は、赤外線通信リンク（第１の無線リンク）を介して赤外線操作信号を送信し、テレビ装置（又は照明装置）２を操作している。赤外線通信リンクは指向性があるので、その携帯電話機の赤外線発光部を、テレビ装置へ向けることによって、赤外線操作信号を送信することができる。
【００２９】
携帯電話機は、一般に、赤外線通信規格ＩｒＤＡ(Infrared Data Association)準拠の赤外線発光部を有する。ＩｒＤＡの仕様は、一般のリモコン装置で使われている赤外線通信の仕様とは異なる。携帯電話機は、リモコン用アプリケーションを起動することによって、ＩｒＤＡ準拠の赤外線発光部に対してリモコン用の操作信号をエミュレートすることによって、リモコン装置として機能する。
【００３０】
携帯電話機Ａは、テレビ装置Ａへ、例えばチャネル切り替え（又は電源オン／オフ）の赤外線操作信号を送信している。このとき、携帯電話機Ｂも、テレビ装置Ａを操作可能な位置に存在している。テレビ装置Ａから見ると、携帯電話機Ａ及び携帯電話機Ｂがその周辺に存在する。
【００３１】
また、携帯電話機Ｂは、テレビ装置Ｂへ、赤外線操作信号を送信している。このとき、携帯電話機Ｃも、テレビ装置Ｂを操作可能な位置に存在している。テレビ装置Ｂから見ると、携帯電話機Ｂ及び携帯電話機Ｃがその周辺に存在している。
【００３２】
尚、携帯電話機はそれぞれ、装置識別子及び／又はユーザ識別子（以下「識別子」という）を有する。装置識別子は、携帯電話機固有のデバイス識別子であり、ユーザ識別子は、携帯電話機を操作するユーザ固有の識別子をいう。
【００３３】
遠隔操作装置となる携帯電話機１と、操作対象装置となるテレビ装置及び照明装置２とは、近距離無線通信部を搭載する。携帯電話機１は、近距離無線リンク（第２の無線リンク）を介して操作対象装置となるテレビ装置又は照明装置２へ、識別子を送信する。近距離無線リンクは、Bluetoothであってもよいし、例えばＷｉ−Ｆｉ(Wireless Fidelity)のような無線ＬＡＮ(Local Area network)であってもよい。指向性がない近距離無線リンクを用いることにより、その携帯電話機の向きに影響を受けることなく、テレビ装置へ識別子を送信することができる。
【００３４】
携帯電話機Ａは、近距離無線リンクを介してテレビ装置Ａへ識別子を送信する。また、携帯電話機Ｂは、近距離無線リンクを介してテレビ装置Ａ及びテレビ装置Ｂへ識別子を送信する。更に、携帯電話機Ｃは、近距離無線リンクを介してテレビ装置Ｂ及び照明装置へ識別子を送信する。これによって、テレビ装置Ａは、携帯電話機Ａ及び携帯電話機Ｂが、当該テレビ装置Ａの周辺に存在していることを認識する。また、テレビ装置Ｂは、携帯電話機Ｂ及び携帯電話機Ｃが、自らの周辺に存在していることを認識する。
【００３５】
識別子は、各遠隔操作装置から、近距離無線リンクを介して操作対象装置へ定期的に送信される。定期的な識別子の送信は、遠隔操作装置が当該操作対象装置の周辺範囲に存在していることを意味するアクティブ信号（又はアライブ信号）の役割をなす。これにより、例えばテレビ装置は、各時点で、自らの周辺に存在する携帯電話機を認識することができる。一方で、操作対象装置は、定期的に受信していた識別子を受信しなくなった場合、その識別子に対応する携帯電話機が、自らの周辺に存在しなくなったことを認識する。
【００３６】
図３は、本発明における機能構成図である。
【００３７】
図３によれば、遠隔操作装置１は、例えば携帯電話機であって、入力インタフェース部１０と、赤外線発光部１１と、操作信号送信部１２と、近距離無線通信部１３と、識別子送信部１４と、識別子記憶部１５とを有する。操作信号送信部１２、識別子送信部１４及び識別子記憶部１５は、携帯電話機に搭載されたコンピュータを機能させるプログラムを実行することによって機能する。
【００３８】
入力インタフェース部１０は、操作対象装置２に対する操作内容をユーザが入力すべきキーボードや、ユーザが操作可能な内容を表示すべきディスプレイである。ユーザによって操作された操作内容は、操作信号送信部１２へ出力される。
【００３９】
操作信号送信部１２は、入力インタフェース部１０から操作内容を入力し、その操作内容を、操作信号として赤外線発光部１１へ出力する。具体的には、携帯電話機で、リモコン用アプリケーションを起動することによって、ＩｒＤＡ準拠の赤外線発光部１１に対してリモコン用の操作信号をエミュレートする。
【００４０】
赤外線発光部１１は、操作信号送信部１２から出力された操作信号を、指向性のある赤外線によって、操作対象装置２へ送信する。赤外線発光部１１は、例えばＩｒＤＡ準拠のものである。
【００４１】
近距離無線通信部１３は、近距離無線リンクを介して、識別子をテレビ装置へ送信する。近距離無線通信部１３は、Bluetoothや無線ＬＡＮに対応していることが好ましい。このような近距離無線リンクは、指向性がないので、その携帯電話機の向きに影響を受けることなく、テレビ装置へ識別子を送信することができる。
【００４２】
識別子記憶部１５は、装置識別子及び／又はユーザ識別子を記憶し、この識別子を識別子送信部１４へ出力する。装置識別子は、例えばBluetooth無線モジュールのデバイスＩＤや、携帯電話機に搭載されるＳＩＭカードの識別番号であってもよい。また、ユーザ識別子は、携帯電話機の電話番号や、ホームネットワーク内のみで利用可能な識別子であってもよい。
【００４３】
識別子送信部１４は、識別子記憶部１５から出力された識別子を、近距離無線通信部１３を介して、操作対象装置２へ送信する。ここで、識別子送信部１４は、近距離無線通信部１３がBluetoothである場合、呼び出し(Page)シーケンスを定期的に実行するものであってもよい。呼び出しシーケンスの中で、デバイスＩＤを送信することができる。また、呼び出し(Page)シーケンスによって無線リンクを確立した後、識別子を含むデータパケットを送信するものであってもよい。更に、識別子送信部１４は、近距離無線通信部１３が無線ＬＡＮである場合、識別子を含むデータパケットを定期的に送信するものであってもよい。
【００４４】
尚、識別子送信部１４は、近距離無線リンクに競合が生じ、送信エラーが発生した場合、一定時間待機後に、その識別子をテレビ装置へ再送信するべく動作する。
【００４５】
図３によれば、操作対象装置２は、赤外線受光部２１と、操作信号受信部２２と、近距離無線通信部２３と、識別子受信部２４と、周辺ユーザ認識部２５と、制御部２６とを有する。操作信号受信部２２、識別子受信部２４、周辺ユーザ認識部２５及び制御部２６は、操作対象装置に搭載されたコンピュータを機能させるプログラムを実行させることによって機能する。
【００４６】
赤外線受光部２１は、赤外線通信リンクを介して、携帯電話機から操作信号を受信し、その操作信号を操作信号受信部２２へ出力する。赤外線受光部２１は、既存のテレビ装置等に搭載された、リモコン装置から赤外線を受光するものである。
【００４７】
操作信号受信部２２は、その操作信号を制御部２６へ出力する。操作信号受信部２２は、既存のテレビ装置等に搭載された、リモコン装置からの操作信号に基づく操作内容を認識するものである。
【００４８】
近距離無線通信部２３は、近距離無線リンクを介して、携帯電話機から識別子を受信する。近距離無線通信部２３は、遠隔操作装置１の近距離無線通信部１３に対応した、Bluetooth又は無線ＬＡＮの通信機能である。このような近距離無線リンクは、指向性がないので、その携帯電話機の向きに影響を受けることなく、識別子を受信することができる。近距離無線通信部２３は、受信した識別子を、識別子受信部２４へ出力する。
【００４９】
識別子受信部２４は、識別子を周辺ユーザ認識部２５へ出力する。識別子受信部２４は、遠隔操作装置１から発動される呼び出し(Page)シーケンスによって、識別子を受信するものであってもよい。また、呼び出しシーケンスによって無線リンクを確立した後、識別子を含むデータパケットを受信するものであってもよい。
【００５０】
周辺ユーザ認識部２５は、自らの周辺範囲に、受信した識別子に対応するユーザ又は携帯電話機が存在することを認識する。ここで、周辺ユーザ認識部２５は、自らの周辺範囲に存在する携帯電話機から定期的にその識別子を受信する。一方で、周辺ユーザ認識部２５は、その識別子を一定時間以上受信しなかった場合、その識別子に対応する携帯電話機が、自らの周辺範囲に存在しなくなったと認識する。周辺ユーザ認識部２５は、自らの周辺範囲に存在する携帯電話機の識別子を、制御部２６へ出力する。
【００５１】
制御部２６は、操作信号受信部２２から通知された操作内容（例えばテレビ装置のチャネル切り替え）に応じて、操作対象装置２自体の動作を制御する。また、制御部２６は、周辺ユーザ認識部２５から、自らの周辺範囲に存在する携帯電話機の識別子を入力する。これによって、例えば、これら識別子に対応するユーザに基づくアイコンを、テレビ装置の画面に表示させることもできる。また、そのテレビ装置を視聴している複数のユーザ、特に操作信号を送信していないユーザについて、視聴履歴を取得することもできる。視聴履歴は、ユーザに番組を推薦させるレコメンド機能に用いられる。
【００５２】
図４は、遠隔操作装置自らの存在を操作対象装置へ通知するシーケンス図である。
【００５３】
図４によれば、携帯電話機の遠隔操作装置と、テレビ装置の操作対象装置とは、Bluetoothに基づくプロトコル構成を有する。その中で、ＬＭＰ(Link Management Protocol)は、無線リンクにおける接続確立、接続制御及びセキュリティを実現する。ＬＭＰの接続確立では、Bluetoothにおける問い合わせ(Inquiry)状態及び呼び出し(Page)状態を実行する。
【００５４】
（Ｓ４１）携帯電話機Ａは、リモコン用アプリケーションを起動した際に、問い合わせ要求(Inquiry)メッセージを、Bluetoothの無線リンクへブロードキャストする。Bluetoothの電波を受信可能な範囲に存在するテレビ装置は、この問い合わせ要求(Inquiry)メッセージを受信する。これに対し、テレビ装置は、ＦＨＳ応答メッセージを返信する。ＦＨＳパケットには、Bluetoothのクラス、デバイスＩＤ（識別子）、クロック等の情報が含まれる。これによって、携帯電話機Ａは、テレビ装置の存在を認識する。
【００５５】
（Ｓ４２）その後、携帯電話機Ａは、識別子通知シーケンスを定期的に実行する。識別子通知シーケンスは、例えば呼び出し(Page)状態のシーケンスを実行することができ、これによって、携帯電話機Ａの識別子（例えばデバイスＩＤ）を、テレビ装置２へ送信することができる。
【００５６】
（Ｓ４２１）携帯電話機Ａは、呼び出し(Page)要求メッセージをテレビ装置２へ送信する。これに対し、テレビ装置２は、受信応答メッセージを、携帯電話機Ａへ返信する。
（Ｓ４２２）次に、携帯電話機Ａは、ＦＨＳ要求メッセージをテレビ装置２へ送信する。ＦＨＳパケットには、Bluetoothのクラス、デバイスＩＤ（識別子）、クロック等の情報が含まれる。これによって、テレビ装置２は、携帯電話機Ａの存在を認識することができる。そして、テレビ装置２は、受信応答メッセージを、携帯電話機Ａへ返信する。
（Ｓ４２３）直ぐに、携帯電話機Ａは、接続解除要求をテレビ装置２へ送信する。携帯電話機Ａは、Bluetoothの無線リンクを用いて、当該携帯電話機Ａの識別子をテレビ装置２へ通知できればよい。即ち、Bluetoothの無線リンクを維持する必要がないからである。接続解除要求を受信したテレビ装置２は、受信応答メッセージを、携帯電話機Ａへ返信する。
【００５７】
尚、Ｓ４２１及びＳ４２２によって無線リンクを確立した後、識別子を含むデータパケットを送信するものであってもよい。この場合、ＦＨＳ要求メッセージに含まれるデバイスＩＤを必要としない。携帯電話機Ａは、そのデータパケットをテレビ装置２へ送信した後、Ｓ４２３によって接続を解除する。
【００５８】
ここで、本発明によれば、Ｓ４２３によって直ぐに、携帯電話機が接続解除要求をテレビ装置へ送信する。この理由として、Bluetoothは、通常、１対１通信に基づくものであって、処理負荷が大きくなる１対多通信の場合、動作が不安定となる傾向がある。そのために、本発明によれば、Bluetoothの無線リンクについて接続／解除を繰り返すことによって、複数の携帯電話機の近距離無線通信部と、１つのテレビ装置の近距離無線通信部とを接続できるようにしている。
【００５９】
（Ｓ４３）携帯電話機Ａは、リモコン用アプリケーションによって、ユーザからのテレビ装置２に対する操作を受け付ける。携帯電話機Ａは、その操作に基づく赤外線操作信号を、テレビ装置２へ送信する。テレビ装置２は、携帯電話機Ａの存在を認識しているために、その操作内容は、その携帯電話機Ａを所持しているユーザ所望の操作である可能性があると認識することができる。勿論、テレビ装置２は、他の携帯電話機Ｂから赤外線操作信号を受信した場合であっても、携帯電話機Ａ及びＢの存在を認識している。
【００６０】
（Ｓ４４）Ｓ４２で実行された識別子通知シーケンスは、周期的に実行される。識別子通知シーケンスが実行される毎に、テレビ装置２は、携帯電話機Ａの存在を認識する。ここで、携帯電話機Ａがテレビ装置２の周辺から離れた場合、携帯電話機Ａからの識別子通知シーケンスが実行されなくなる。このとき、テレビ装置２は、携帯電話機Ａは、そのテレビ装置２の周辺に存在しないと認識する。
【００６１】
図５は、遠隔操作装置の識別子を操作対象装置へ送信するデータパケットの構成図である。
【００６２】
図５によれば、図４のＳ４２２について、携帯電話機Ａからテレビ装置へ送信されるＦＨＳ要求メッセージのデータ構造が表されている。Bluetoothの一般的なデータ構造は、アクセスコード部と、ヘッダ部と、ペイロード部とからなる。アクセスコード部は、プリアンブル等を含む。ヘッダ部は、Bluetoothアドレス、タイプコード（制御／音声／データ）、フロー制御、ＡＲＱＮ、シーケンス番号、チェックサムを含む。ペイロード部は、ここでは、ＦＨＳの内容を含む。ＦＨＳには、主に、Bluetoothのクラス、デバイス識別子（ＩＤ）、クロック等が含まれる。このデバイス識別子によって、テレビ装置２は、携帯電話機Ａの識別子を認識することができる。
【００６３】
以上、詳細に説明したように、本発明の方法及びシステムによれば、既存の赤外線通信自体の機能を拡張することなく、操作対象装置の周辺（操作信号を送信可能な位置）に存在する遠隔操作装置を認識することができる。
【００６４】
これにより、例えば、これら識別子に対応するユーザに基づくアイコンを、テレビ装置の画面に表示させることもできる。また、そのテレビ装置を視聴している複数のユーザ、特に操作信号を送信していないユーザについて、視聴履歴を取得することもできる。視聴履歴は、ユーザに番組を推薦させるレコメンド機能に用いられる。
【００６５】
簡易化な技術として、近距離無線通信のみで、操作信号及び識別子の両方を送信することもできる。しかしながら、近距離無線通信の場合、赤外線通信よりも遅延が大きく、ユーザの操作性が劣ることとなる。これに対し、本発明によれば、操作信号には、既存の低遅延の赤外線通信を用いることにより、ユーザの操作性を維持することができる。また、リアルタイム性を要しない識別子には、近距離無線通信を用いる。
【００６６】
また、携帯電話機が、赤外線発光部及び近距離無線通信部の両方を備えることによって、近距離無線通信部と搭載していないテレビ装置に対しても、少なくとも赤外線のみで遠隔操作をすることができる。
【００６７】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００６８】
１  遠隔操作装置
１０  入力インタフェース部
１１  赤外線発光部
１２  操作信号送信部
１３  近距離無線通信部
１４  識別子送信部
１５  識別子記憶部
２  操作対象装置
２１  赤外線受光部
２２  操作信号受信部
２３  近距離無線通信部
２４  識別子受信部
２５  周辺ユーザ認識部
２６  制御部
【図１】
2011061669.tif 000003
【図２】
2011061669.tif 000004
【図３】
2011061669.tif 000005
【図４】
2011061669.tif 000006
【図５】
2011061669.tif 000007